(57)【要約】【課題】機能制限モードに移行しうる情報処理端末を構成要素として用いることができ、情報処理端末が保持装置に設置されたときに給湯器の操作を迅速に行いやすい給湯器用のリモートコントローラ装置を実現する。【解決手段】リモートコントローラ装置１００の情報処理端末１１０において、制御装置１１２（制御部）は、予め定められた制限条件が成立した場合に、情報処理端末１１０を機能制限モードに切り替え、機能制限モード中に、情報処理端末１１０が保持部１５０に保持されてない状態で情報処理端末１１０に対して所定の解除操作がなされた場合、機能制限モードにおける表示制限を解除し、機能制限モード中に、情報処理端末１１０が保持部１５０に保持された場合、解除操作がなされていなくても、情報処理端末１１０から給湯器１Ａに対して指示がなされることを許容する。【選択図】図１
2019036900.tif 000002
【特許請求の範囲】
【請求項１】
タッチパネルが設けられてなる表示装置を備えた情報処理端末と、
前記情報処理端末を着脱可能に保持する保持部を備え、給湯器と通信可能とされた保持装置と、
を有し、
前記情報処理端末は、前記表示装置の表示状態を、リモートコントローラ画像が表示される第１表示状態と、リモートコントローラ画像以外の画像が表示される第２表示状態と、に切り替える制御部を備え、
前記制御部は、
予め定められた制限条件が成立した場合に、前記情報処理端末を、前記表示装置において所定の表示制限を行い且つ前記情報処理端末から前記給湯器に対して指示がなされることを禁止する機能制限モードに切り替え、
前記機能制限モード中に、前記情報処理端末が前記保持部に保持されてない状態で前記情報処理端末に対して所定の解除操作がなされた場合、前記表示制限を解除し、
前記機能制限モード中に、前記情報処理端末が前記保持部に保持された場合、前記解除操作がなされていなくても、前記情報処理端末から前記給湯器に対して指示がなされることを許容する給湯器用のリモートコントローラ装置。
【請求項２】
前記制御部は、前記機能制限モード中に前記情報処理端末が前記保持部に保持されていない場合、前記表示装置の表示状態を、前記リモートコントローラ画像が表示されない状態にする請求項１に記載の給湯器用のリモートコントローラ装置。
【請求項３】
前記制御部は、前記機能制限モード中に前記情報処理端末が前記保持部に保持された場合、前記表示装置の表示状態を前記第１表示状態とし、前記第１表示状態のときに前記タッチパネルに対して前記給湯器への指示を入力する指示操作がなされた場合、当該指示操作に基づくコマンドを前記給湯器に向けて送信する請求項１又は２に記載の給湯器用のリモートコントローラ装置。
【請求項４】
前記制御部は、前記機能制限モード中に前記情報処理端末が前記保持部に保持されていない場合に、前記表示装置の表示状態を、所定の制限用画像が表示された状態とし、
前記機能制限モード中に前記情報処理端末が前記保持部に保持された場合、前記表示装置の表示状態を、前記制限用画像が表示された状態から前記リモートコントローラ画像が表示された状態に自動的に切り替える請求項３に記載の給湯器用のリモートコントローラ装置。
【請求項５】
前記情報処理端末は、前記保持装置以外の外部装置と所定の無線通信方式で無線通信を行う外部装置通信部を備え、
前記制御部は、前記機能制限モード中に前記情報処理端末が前記保持部に保持された場合、前記表示装置の表示状態を前記第１表示状態とし且つ前記外部装置通信部による前記外部装置との無線通信を禁止する請求項１から４のいずれか一項に記載の給湯器用のリモートコントローラ装置。
【発明の詳細な説明】
【技術分野】
【０００１】
本発明は、給湯器用のリモートコントローラ装置に関するものである。
【背景技術】
【０００２】
給湯器システムでは、台所や浴室などに設置されたリモートコントローラによって各種機能を実行するような方式が採用されている。例えば、台所や浴室などの壁面に固定される形態でリモートコントローラが設置され、ユーザがそのリモートコントローラを操作することで給湯温度、ふろ温度、音声通話、自動湯張り、追い焚きなどの様々な機能を実行し得るようになっている。この種の給湯器システムでは、タブレット端末などの携帯型情報処理端末を給湯器用のリモートコントローラとして用いる技術も提案されている。例えば、特許文献１で開示された風呂給湯器では、携帯型情報処理端末に風呂給湯器用のアプリケーションプログラム（風呂給湯器アプリ）がインストールされており、所定の音声メッセージを出力させる際に、出力先の携帯型情報処理端末で風呂給湯器アプリが未起動であったり、バックグラウンドで動作したりしている場合は、風呂給湯器アプリをフォアグランドに移行させて音声メッセージを出力させる。
【先行技術文献】
【特許文献】
【０００３】
【特許文献１】特開２０１６−２０５７１０号公報
【発明の概要】
【発明が解決しようとする課題】
【０００４】
ところで、スマートフォンやタブレット端末などの携帯型の情報処理端末は、所定条件が成立した場合（ユーザが所定操作を行った場合や無操作状態が一定時間継続した場合など）に機能制限モードに切り替わり、機能制限モードに設定されている最中は、画像表示の停止や機能制限モード用の画像（パスワード入力を指示する画像など）の表示を行い、初期画像（例えば、アプリケーションプログラムを選択するための選択用画像）やアプリケーションプログラムの動作中画像などを表示しないように制限するものが一般的となっている。そして、この種の情報処理端末は、機能制限モードに設定されているときに所定の解除操作（例えば予め設定されたパスワードを入力する操作）がなされた場合に、機能制限モードを解除し、初期画像やアプリケーションプログラムの画像を表示するように動作する。
【０００５】
しかし、この種の情報処理端末を、給湯器用のリモートコントローラ装置の構成要素として用いる場合、何ら工夫せずに上述のセキュリティ機能（所定条件の成立によって機能制限モードに移行し、解除操作によって機能制限モードから解除される機能）のみを組み込んでしまうと、ユーザの利便性を損ねる虞がある。例えば、情報処理端末を保持装置に装着して迅速にリモコン操作（情報処理端末による給湯器の遠隔操作）を行うことをユーザが望んでいるようなときに情報処理端末が機能制限モードとなっていると、わざわざパスワード入力などの解除操作を行ってからリモコン操作を行わなければならない。つまり、機能制限モードになっていると、迅速なリモコン操作が阻害されるため、利便性の低下を招いてしまう。
【０００６】
本発明は、上述した課題を解決するためになされたものであり、機能制限モードに移行しうる情報処理端末を構成要素として用いることができ、情報処理端末が保持装置に設置されたときに給湯器の操作を迅速に行いやすい給湯器用のリモートコントローラ装置を実現することを目的とするものである。
【課題を解決するための手段】
【０００７】
本発明の一つの例である給湯器用のリモートコントローラ装置は、
タッチパネルが設けられてなる表示装置を備えた情報処理端末と、
前記情報処理端末を着脱可能に保持する保持部を備え、給湯器と通信可能とされた保持装置と、
を有し、
前記情報処理端末は、前記表示装置の表示状態を、リモートコントローラ画像が表示される第１表示状態と、リモートコントローラ画像以外の画像が表示される第２表示状態と、に切り替える制御部を備え、
前記制御部は、
予め定められた制限条件が成立した場合に、前記情報処理端末を、前記表示装置において所定の表示制限を行い且つ前記情報処理端末から前記給湯器に対して指示がなされることを禁止する機能制限モードに切り替え、
前記機能制限モード中に、前記情報処理端末が前記保持部に保持されてない状態で前記情報処理端末に対して所定の解除操作がなされた場合、前記表示制限を解除し、
前記機能制限モード中に、前記情報処理端末が前記保持部に保持された場合、前記解除操作がなされていなくても、前記情報処理端末から前記給湯器に対して指示がなされることを許容する。
【発明の効果】
【０００８】
上記リモートコントローラ装置は、制御部を有し、この制御部は、予め定められた制限条件が成立した場合に、情報処理端末を、表示装置において所定の表示制限を行い且つ情報処理端末から給湯器に対して指示がなされることを禁止する機能制限モードに切り替える。このように構成されるため、制限条件の成立時には、セキュリティ性を高めることができ、意図しない第三者の不正使用などを防ぎやすくなる。
また、制御部は、機能制限モード中に、情報処理端末が保持部に保持されてない状態で情報処理端末に対して所定の解除操作がなされた場合、表示制限を解除する。このように構成されるため、機能制限モードとなっていても、解除操作を行えば表示制限を解除することができ、制限された機能を実行できるようになる。
一方、制御部は、機能制限モード中に情報処理端末が保持部に保持された場合、解除操作がなされていなくても、情報処理端末から給湯器に対して指示がなされることを許容する。このように構成されるため、機能制限モードに設定されてセキュリティ性が高められたとしても、情報処理端末が保持装置に設置されたときには、給湯器を操作するにあたり解除操作が必須とならなくなり、給湯器の操作を迅速に行いやすくなる。
【図面の簡単な説明】
【０００９】
【図１】実施例１の給湯システムを概念的に示す説明図である。
【図２】実施例１の給湯システムの給湯器内の構成を具体的に示す説明図である。
【図３】実施例１の給湯システムの電気的構成を簡略的に示すブロック図である。
【図４】実施例１の給湯システムにおけるリモートコントローラ装置を概略的に示す斜視図である。
【図５】図４のリモートコントローラ装置の情報処理端末にリモートコントローラ画像が表示された例を示す説明図である。
【図６】図４のリモートコントローラ装置の情報処理端末にリモートコントローラ画像以外の画像が表示された例を示す説明図である。
【図７】図４のリモートコントローラ装置の保持装置を概略的に示す斜視図である。
【図８】制限用画像の一例を示す説明図である。
【図９】図８とは異なる制限用画像の一例を示す説明図である。
【発明を実施するための形態】
【００１０】
本発明の好ましい形態を以下に例示する。
制御部は、機能制限モード中に情報処理端末が保持部に保持されていない場合、表示装置の表示状態を、リモートコントローラ画像が表示されない状態にするように動作してもよい。この構成では、機能制限モード中に情報処理端末が保持部に保持されていない場合には、リモートコントローラ画像に基づく指示操作が行えないようになる。よって、保持部から離脱して移動可能な状態にある情報処理端末により、リモートコントローラ画像に基づく意図しない操作がなされることを防ぐことができる。
【００１１】
制御部は、機能制限モード中に情報処理端末が保持部に保持された場合、表示装置の表示状態を第１表示状態とし、第１表示状態のときにタッチパネルに対して給湯器への指示を入力する指示操作がなされた場合、当該指示操作に基づくコマンドを給湯器に向けて送信するように動作してもよい。この構成では、機能制限モード中であっても、情報処理端末を保持部に保持させることで、迅速かつ簡易にリモートコントローラ画像を表示した状態に切り替えることができる。そして、ユーザはリモートコントローラ画像が表示された状態のときに、この画像に基づき、タッチパネルに対して給湯器への指示を入力する指示操作を行えば、当該指示操作に基づくコマンドを給湯器に向けて送信することができ、給湯器に所望の動作を行わせることができる。
【００１２】
制御部は、機能制限モード中に情報処理端末が保持部に保持されていない場合に、表示装置の表示状態を、所定の制限用画像が表示された状態としてもよい。そして、制御部は、機能制限モード中に情報処理端末が保持部に保持された場合、表示装置の表示状態を、制限用画像が表示された状態からリモートコントローラ画像が表示された状態に自動的に切り替えるように動作してもよい。この構成では、機能制限モード中に情報処理端末が保持部に保持されていない場合には、所定の制限用画像が表示された状態とし、機能制限モードであることを知らしめることができる。一方、機能制限モード中に情報処理端末が保持部に保持された場合には、制限用画像が表示された状態からリモートコントローラ画像が表示された状態に自動的に切り替えることができるため、ユーザは、このような画像の切り替わりにより、リモートコントローラ画像に基づく操作を行い得る状態に切り替わったことを迅速に且つ直感的に知ることができる。
【００１３】
情報処理端末は、保持装置以外の外部装置と所定の無線通信方式で無線通信を行う外部装置通信部を備えていてもよい。制御部は、機能制限モード中に情報処理端末が保持部に保持された場合、表示装置の表示状態を第１表示状態とし且つ外部装置通信部による外部装置との無線通信を禁止するように動作してもよい。この構成では、機能制限モード中に情報処理端末が保持部に保持された場合、リモートコントローラ画像に基づく指示操作を可能とする一方で、情報処理端末と外部装置との間で無線通信がなされることに起因する不正動作（不正アクセスや不正操作など）をより確実に防ぎやすくなる。
【００１４】
＜実施例１＞
以下、実施例１について、図面を参照して説明する。
（基本構成）
図１、図２等で示す給湯システム１は、浴槽への給湯機能と浴槽内の水の加熱機能とを備えた風呂・給湯システムとして構成され、主として、給湯器１Ａと、給湯器１Ａを遠隔操作するための給湯器用のリモートコントローラ装置１００（以下、単にリモートコントローラ装置１００ともいう）とを備えている。
【００１５】
図２のように、給湯器１Ａは、主として、給湯側回路２と、風呂側回路３とを備える。
給湯側回路２は、入水管１２、出湯管１０、ガスバーナ４、熱交換器６（一次熱交換器７、二次熱交換器８）などを備えており、外部から供給された水道水を加熱し出湯させる経路として機能する。風呂側回路３は、ガスバーナ５４（風呂バーナ）、熱交換器５６（風呂側熱交換器）、配管６６、循環ポンプ６２、サーミスタ６４，６５などを備え、風呂の追い焚き等に利用される。給湯側回路２では、二次熱交換器８の入口に入水管１２が接続され、入水管１２にはサーミスタ２５と水量センサ３４とが設けられている。入水管１２の下流側には、二次熱交換器８の伝熱管８ａが接続され、その下流側には伝熱管８ａと一次熱交換器７の伝熱管７ａとを連結する配管２０が接続される。配管２０に連結された構成で伝熱管７ａが接続され、一次熱交換器７の出口には出湯管１０が接続されている。出湯管１０にはサーミスタ２６が設けられている。一次熱交換器７は、伝熱管７ａ内を通る水に対してガスバーナ４で発生した燃焼排気に含まれる燃焼熱を伝熱し、顕熱の熱エネルギーを通水に伝達する。二次熱交換器８は、伝熱管８ａ内を通る水に対し、ガスバーナ４で発生した燃焼排気が一次熱交換器７を通過した後の燃焼熱を伝熱し、潜熱の熱エネルギーを通水に伝達する。バイパス路１４は、入水管１２と出湯管１０との間をバイパスし、その内部にはバイパス弁３２が設けられている。入水管１２において、バイパス路１４が連結する分岐位置よりも上流側には、通水量制御弁３３が設けられている。ガスバーナ４へのガスの供給を行うガス管４０には、上流側からガス元電磁弁４２、給湯ガス比例制御弁４４、各ガスバーナ４への分岐管ごとの給湯切替電磁弁４６，４６・・が夫々設けられている。ファン４８は、燃焼用空気を各ガスバーナ４（給湯バーナ）及びガスバーナ５４（風呂バーナ）へ供給する。ガスバーナ５４（風呂バーナ）に接続されるガス管からの分岐管には、切替電磁弁５３が設けられている。
【００１６】
風呂側回路３において、配管６６は、浴槽６０側からの水を熱交換器５６側へと導く往き配管６７と、熱交換器５６側からの水を浴槽６０側へと導く戻り配管６８と、これらに連結されて熱交換器５６内を通る中間配管６９とを備える。熱交換器５６は、風呂一次熱交換器５７と風呂二次熱交換器５８とを備え、配管６６を通る水に対してガスバーナ５４（風呂バーナ）での燃焼によって生じた燃焼熱を伝達する。循環ポンプ６２は、配管６６内の水を流動させる。配管６６には、出湯管１０から分岐された落とし込み管７０が接続され、落とし込み管７０には、給湯用電磁弁７２及び落とし込み水量センサ７４が設けられている。落とし込み管７０に設けられた給湯用電磁弁７２を開弁させることで、給湯側回路２で加熱された湯を浴槽６０へ供給することが可能となっている。
【００１７】
図２、図３で示すように、給湯器１Ａには、制御装置としてのコントローラ２２が設けられている。図３のように、コントローラ２２には、例えば、公知のマイクロコンピュータ等として構成される制御装置２２Ａと、公知の半導体メモリ等として構成されるメモリ２２Ｂと、外部との通信を行うためのインタフェースとして構成される通信部２２Ｃとが設けられている。コントローラ２２は、給湯側回路２や風呂側回路３に設けられた様々なセンサからの信号を取得可能に構成されており、給湯側回路２や風呂側回路３に設けられた様々なアクチュエータを制御し得る構成となっている。図２のように、コントローラ２２には、複数のリモートコントローラ（リモートコントローラ装置１００、１０１）がコントローラ２２と通信し得る構成で接続されている。リモートコントローラ装置１００は、浴室内に設けられる第１リモートコントローラであり、リモートコントローラ装置１０１は、浴室とは異なる場所（例えば台所等）に設けられる第２リモートコントローラである。
【００１８】
（リモートコントローラ装置の構成）
次に、浴室内に設けられるリモートコントローラ装置１００の構成を詳述する。なお、
リモートコントローラ装置１０１は、リモートコントローラ装置１００と同様の構成となっていてもよく、リモートコントローラ装置１００とは異なる構成（公知の台所用リモートコントローラの構成）であってもよい。図４で示すように、リモートコントローラ装置１００は、タッチパネル式の表示装置１２２を備えた情報処理端末１１０と、所定の位置に設置される保持装置１３０とを備える。情報処理端末１１０は、図４のように保持装置１３０に保持され得るものであり、図５、図６のような外観をなす。保持装置１３０は、図４のように情報処理端末１１０を保持し得るものであり、図７のような外観をなす。
【００１９】
図３のように、情報処理端末１１０は、制御装置１１２、二次電池１１４、受電部１７４、第１無線通信部１１８、第２無線通信部１２０、表示装置１２２、記憶部１２４、音声装置１２６などを備える。情報処理端末１１０は、図５、図６のような外観をなし、図５のようにリモートコントローラとしての機能を実現することもでき、図６のようにリモートコントローラ以外の機能を実現することもできるようになっている。情報処理端末１１０は、防水性を有するタブレット端末として構成されており、例えば、給電についても端子を露出させない給電方式（例えば電磁誘導方式、磁気共鳴方式、マイクロ波放電方式などの公知の非接触給電方式）を採用しており、通信についても端子を露出させない通信方式（例えば公知の無線通信方式）を採用している。なお、外部に金属端子が全く露出していない構成であることが望ましいが、一部に金属端子が露出した構成であってもよい。本構成では、例えば、保持装置１３０に設けられた送電部１７２において送電制御部１７２Ｂが送電コイル１７２Ａに対して送電動作（例えば、所定の通電動作）を行っているときに、情報処理端末１１０に設けられた受電部１７４の受電コイル１７４Ａが送電コイル１７２Ａに近接していると、送電コイル１７２Ａにおいて電流が発生するように非接触給電がなされる。充電制御部１７４Ｂ及び制御装置１１２は、このように発生する電流に基づき、二次電池１１４に充電電流を供給する充電動作を行い得る。
【００２０】
図３の構成において、制御装置１１２は、ＣＰＵなどの公知の演算装置、又はＣＰＵと他の周辺回路とによって構成されており、様々な制御や演算を行い得る。二次電池１１４は、充放電可能な公知の電池であり、例えば、リチウムイオン電池などを好適に用いることができる。受電部１７４は、受電コイル１７４Ａと充電制御部１７４Ｂとを備え、受電コイル１７４Ａで生じた電力に基づき、二次電池１１４に供給する充電電流を生成し得る。
【００２１】
第１無線通信部１１８は、公知の第１無線通信方式により、保持装置１３０との間で（具体的には、無線通信部１３８との間で）無線通信を行い得る。第１無線通信方式は、情報処理端末１１０と外部装置１８０との間で行われる後述の第２無線通信方式とは異なる無線通信方式であり、例えば、Bluetooth（登録商標）などの公知の近距離無線通信規格に従った通信方式が採用される。第１無線通信部１１８は、例えば、表示装置１２２にリモートコントローラ画像（後述）が表示された状態で、タッチパネル１２２Ａに対して操作がなされた場合に、操作に応じた動作指示情報を送信するように機能する。
【００２２】
第２無線通信部１２０は、外部装置通信部の一例に相当し、図１に示す外部装置１８０との間で公知の第２無線通信方式に従った無線通信を行い得る。第２無線通信方式は、例えば、Ｗｉ−Ｆｉ（登録商標）などの無線ＬＡＮ規格に従った通信方式が採用される。外部装置１８０は、例えば、アクセスポイントとして構成され、インターネット網などの図示しない公衆ネットワークと通信可能に接続されており、第２無線通信部１２０は、外部装置１８０を介してインターネット網に接続可能となっている。なお、外部装置１８０は、第２無線通信方式で情報処理端末１１０と通信しうる装置であればよく、常設された通信装置であっても、携帯型の通信装置であってもよく、複数の通信装置が対象であってもよい。
【００２３】
表示装置１２２は、公知のタッチパネル式の表示装置であり、液晶表示装置又はその他の画像表示装置として構成される表示部１２２Ｂと、この表示部１２２Ｂの前方を覆うように配置される透明性のタッチパネル１２２Ａとを有してなる。表示部１２２Ｂは、様々な画像を表示し得る装置であればよく、公知の様々な画像表示装置を採用し得る。また、タッチパネル１２２Ａは、表示部１２２Ｂの画像を外部から視認可能な構成で表示部１２２Ｂを覆う構成であればよく、公知の様々なタッチパネルを採用し得る。記憶部１２４は、情報を記憶し得る装置であれば良く、例えば、ＲＯＭ、ＲＡＭ、不揮発性メモリなどの公知の半導体記憶装置を複数種類設けた構成とすることができる。音声装置１２６は、音声を発する装置であればよく、例えば、スピーカーやブザーなどの公知の音声装置を採用することができる。
【００２４】
図３、図４のように、保持装置１３０は、制御装置１３２、電源部１３４、送電部１７２、無線通信部１３８、表示部１４０、伝送部１４２、保持部１５０などを備える。
【００２５】
制御装置１３２は、マイクロコンピュータなどの公知の演算装置、又はマイクロコンピュータと他の周辺回路とによって構成されており、様々な制御や演算を行い得る。電源部１３４は、電源電圧を生成する公知の電源回路などによって構成され、例えば外部の商用電源からの電力供給に基づき、保持装置１３０内の各電気部品に供給する動作電圧を生成する。送電部１７２は、送電コイル１７２Ａと送電制御部１７２Ｂとを備え、受電部１７４との間で公知の非接触電力伝送方式による電力伝送を行い得る。無線通信部１３８は、上述した第１無線通信方式（例えば、Bluetooth（登録商標）などの公知の近距離無線通信規格に従った通信方式など）で無線通信を行い得る通信装置であり、少なくとも情報処理端末１１０側の第１無線通信部１１８と第１無線通信方式で無線通信を行い得る。無線通信部１３８は、第１無線通信部１１８から動作指示情報が無線送信された場合に、この動作指示情報を受信する。表示部１４０は、１又は複数のランプや画像表示装置などによって構成されており、制御装置１３２によって表示内容が制御され得る。伝送部１４２は、有線方式で通信を行う通信装置として構成されている。具体的には、例えば、伝送部１４２と給湯器１Ａのコントローラ２２とが１又は複数の通信線２４によって電気的に接続されており、伝送部１４２は、この通信線２４を介しコントローラ２２に情報を伝送するように構成されている。例えば、伝送部１４２は、無線通信部１３８が第１無線通信部１１８から動作指示情報を受信した場合に、動作指示情報又は動作指示情報に対応する対応情報を給湯器１Ａに伝送するように機能する。伝送部１４２は、コントローラ２２からの情報を、通信線２４を介して受信する機能も備える。
【００２６】
保持装置１３０は、図７のような外観をなし、例えば、浴室の壁部に固定される形態で設置されるようになっており、具体的には、保持部１５０が浴室の壁部に固定される。保持部１５０は、情報処理端末１１０を保持する部分であり、載置部１５２、背面側配置部１６０、側部対向部１５５，１５６、前面側対向部１５８などを備え、背面側配置部１６０の内部には、保持装置１３０を構成する電気部品（図３で示す制御装置１３２、送電部１７２、無線通信部１３８等）が収容される。図４のような保持状態のとき、背面側配置部１６０は情報処理端末１１０の背面側に配置され、側部対向部１５５，１５６は情報処理端末１１０の各側部と対向し、前面側対向部１５８は、情報処理端末１１０の前面部（タッチパネル１２２Ａ側の外面部）の一部と対向し、載置部１５２は、情報処理端末１１０が載置され、情報処理端末１１０の端部を下方側から支持する。載置部１５２には、情報処理端末１１０を載置する載置面側から下方側に水を抜くための水抜き孔１５４が複数形成されている。
【００２７】
（情報処理端末が保持装置に保持されていないときの通常動作）
制御装置１１２は、制御部の一例に相当し、表示装置１２２の表示状態を、図５のように予め定められたリモートコントローラ画像が表示される第１表示状態と、図６のようにリモートコントローラ画像以外の画像が表示される第２表示状態と、に切り替える機能を有する。第１表示状態は、図５のように、表示装置１２２に表示される待機画像がリモートコントローラ画像となる表示状態である。第２表示状態は、リモートコントローラ画像の表示が解除され、表示装置１２２にリモートコントローラ画像以外の画像が表示される表示状態である。
【００２８】
また、制御装置１１２は、保持部１５０に情報処理端末１１０が保持されている状態（保持状態）であるか否かを判定する機能を有する。具体的には、制御装置１１２は、保持部１５０に情報処理端末１１０が保持されているときに生じる特定状態を検出する機能を有し、例えば、制御装置１１２は、送電部１７２と受電部１７４との間の非接触給電によって受電部１７４で電流が生成されるようになった状態（特定状態）を検出した場合に、保持状態であると判定し、受電部１７４で電流が生成されていない場合に、保持状態でないと判定する。具体的には、電磁誘導方式、磁気共鳴方式、マイクロ波放電方式などの公知の非接触給電方式のいずれを採用する場合でも、受電部１７４を構成する受電コイル１７４Ａにおいて所定値以上の電流又は電圧が発生した状態を特定状態とすることができ、制御装置１１２は、このような特定状態を検出した場合に「保持状態」と判定する。また、受電部１７４を構成する受電コイル１７４Ａにおいて所定値以上の電流又は電圧が一定時間以上検出されなくなった場合に「保持状態」ではないと判定する。このような判定方法を採用する場合、保持装置１３０側では、送電部１７２によって連続的に又は間欠的に給電動作（送電コイル１７２Ａに電流を流す動作）を行うようになっていることが望ましい。
【００２９】
例えば、図４のような保持状態から図１のような離脱状態に切り替わった場合、制御装置１１２は「保持状態」ではないと判定し、第２表示モードに切り替える。第２表示モードは、表示装置１２２において表示はなされるがリモートコントローラ画像は表示されないモードであり、第２表示モードのときの表示状態が第２表示状態である。なお、第２表示モードは、更に、機能制限モードと通常モードとに細分化される。
【００３０】
通常モードは、機能制限モードではないモードであり、保持状態ではなく且つ後述する制限条件が成立していない場合のモードである。通常モードのときに表示される画像は、図５のようなリモートコントローラ画像でなく、図８、図９のような制限用画像でなければよい。例えば、制御装置１１２は、通常モードのときに図６のような第２の待機画像を表示することができる。図６では、情報処理端末１１０が保持装置１３０から取り外されたことにより、リモートコントローラ画像から複数のアイコン画像１０６が表示された待機画像（第２の待機画像）に切り替わった表示状態を示している。図６では、一部のアイコン画像１０６のみを部分的に示しているが、アイコン画像の数、サイズ、レイアウト等は特に限定されない。各アイコン画像１０６は、各アプリケーションプログラムを起動させるための画像であり、各アイコン画像１０６が表示された位置で所定操作（例えば、指を接触させる操作）がなされた場合に、操作位置に表示されたアイコン画像に対応したアプリケーションプログラムが起動するようになっている。アプリケーションプログラムの種類は様々であり、動画や音楽を再生するプログラムであってもよく、インターネット上の各サイトにアクセスし得るブラウザなどであってもよく、電子メールやＳＮＳなどのアプリケーションプログラムであってもよい。
【００３１】
（情報処理端末が保持装置に保持されていないときの機能制限動作）
リモートコントローラ装置１００では、制御装置１１２が制御部の一例として機能し、保持状態ではないときに予め定められた制限条件が成立した場合に、情報処理端末１１０を機能制限モードに切り替える。機能制限モードは、表示装置１２２において所定の表示制限を行い且つ情報処理端末１１０から給湯器１Ａに対して指示がなされることを禁止するモードである。機能制限モードに切り替えるための「予め定められた制限条件」は、例えば、通常モードのときに情報処理端末１１０に対して所定の操作（例えば、タッチパネル１２２Ａに対する所定のモード切替操作、或いは、タッチパネル１２２Ａとは異なる操作部（図示しない押圧ボタンなど）に対する所定のモード切替操作など）がなされたこと、であってもよく、情報処理端末１１０に対して操作がなされていない無操作期間が一定時間以上継続したこと、であってもよい。所定の表示制限は、例えば、リモートコントローラ画像、アプリケーションプログラムを選択する選択画面の画像、アプリケーションプログラムの動作中の画像、のいずれもが表示装置１２２に表示されず、図８、図９のような、所定の制限用画像が表示されるような制限である。このように、制御装置１１２は、情報処理端末１１０が保持部１５０に保持されていない状態で機能制限モードとなった場合、表示装置１２２の表示状態を、リモートコントローラ画像が表示されない状態（具体的には、所定の制限用画像が表示された状態）に切り替える。従って、この機能制限モードのときには、情報処理端末１１０による給湯器１Ａの遠隔操作（リモートコントローラ画像を利用した操作）は行えなくなる。
【００３２】
所定の制限用画像は、例えば、所定の静止画像（例えば、デフォルトの待ち受け画像や登録された待ち受け画像など）が表示された画像であってもよく、時計画像などが表示された画像であってもよく、暗証番号やパスワードの入力を促すメッセージなど、所定メッセージが表示された画像であってもよい。本構成では、制限用画像として、図８のような第１画像（時刻及び日付が表示された画像）と第２画像（暗証番号の入力を促す画像）とが表示されるようになっており、例えば、所定の第１条件の成立時に第１画像が表示され、所定の第２条件の成立時に第２画像が表示される。具体的には、第１画像は、例えば、上述の制限条件が成立した場合に表示され、所定の切替条件が成立した場合(例えば、第２画像の表示中に所定の第１切替操作がなされた場合や、機能制限モードのときに省電力モードとなり所定の復帰操作がなされた場合など)にも表示される。また、第１画像が表示されているときに所定の第２切替操作（例えばタッチパネルに接触する操作）がなされたときに第２画像に切り替わるようになっている。
【００３３】
制御装置１１２は、機能制限モード中に、情報処理端末１１０が保持部１５０に保持されていない状態で情報処理端末１１０に対して所定の解除操作がなされた場合、上述の表示制限を解除する。例えば、図９のように第２画像が表示された状態で、「所定の解除操作」として正規の暗証番号を入力する操作がなされた場合に、表示制限が解除され、図６のようなアプリケーションプログラムを選択する選択画面の画像や、アプリケーションプログラムの動作中の画像などが表示される。ここで説明した「所定の解除操作」はあくまで一例であり、「所定の解除操作」は、正規の暗証番号を入力する操作に限定されず、例えば、正規の暗証番号を音声入力するような操作であってもよく、予め定められた所定画像（正規の解除データが記録された情報コードなど）を撮像するような操作などであってもよい。なお、機能制限モード中に情報処理端末１１０が保持装置１３０に保持された場合の動作については後述する。
【００３４】
（情報処理端末が保持装置に保持されているときの動作）
例えば、リモートコントローラ装置１００が図１のような離脱状態から図４のような保持状態に切り替わった場合、制御装置１１２は、保持状態であると判定し、表示装置１２２の表示状態を第１表示状態に切り替える。例えば、リモートコントローラ装置１００が図１のような離脱状態から図４のような保持状態に切り替わった場合、制御装置１１２によって「保持状態」が検出され、図５のようなリモートコントローラ画像を表示するモード（第１表示モード）に切り替わる。なお、第１表示モードは、待機画像がリモートコントローラ画像を表示する状態（第１表示状態）となるモードであればよく、第１表示モードにおいて待機画像は常に表示されていても、表示されていなくてもよい。例えば、一定時間操作がない場合に待機画像（リモートコントローラ画像）の表示を停止させて省電力モードとし、何らかの操作があった場合に再び待機画像（リモートコントローラ画像）を表示させるようなモードとなっていてもよい。
【００３５】
本構成では、保持状態ではないときに情報処理端末１１０が機能制限モードとなっていた場合、機能制限モードのまま保持状態に切り替わった場合でも、このような表示切替がなされる。例えば、図８、図９で示すような機能制限モード中に、情報処理端末１１０が保持部１５０に保持された場合、つまり、機能制限モードのまま非保持状態から保持状態に切り替わった場合、制御装置１１２は、保持状態となったことを検出し、表示装置１２２の表示状態を図５のような第１表示状態に切り替える。この場合、上述した解除操作がなされていなくても、図５のようなリモートコントローラ画像が表示され、情報処理端末１１０から給湯器１Ａに対して指示がなされることが許容される。機能制限モード中に情報処理端末１１０が保持部１５０に保持されていない場合、上述したように、表示装置１２２の表示状態は、図８又は図９のような所定の制限用画像が表示された状態となるが、機能制限モード中に情報処理端末１１０が保持部１５０に保持された場合、制御装置１１２により、表示装置１２２の表示状態が、制限用画像が表示された状態（図８又は図９参照）から、リモートコントローラ画像が表示された状態（図５）に自動的に切り替えられる。「リモートコントローラ画像」は、給湯器を遠隔操作するための複数の操作部（操作ボタンなど）の画像を含んだ画像であり、情報処理端末１１０では、それら操作部が表示されているときにいずれか１又は複数の操作部を選択する所定操作（例えば、操作部が表示されている領域のタッチパネル表面部を接触する操作）がなされた場合に、選択された操作部及び所定操作に対応する指示を給湯器に与えるように動作する。
【００３６】
第１表示モードのときに図５のようにリモートコントローラ画像１０２が表示されている状態が第１表示状態であり、リモートコントローラ画像１０２では、給湯器１Ａを操作するための様々な表示ボタンの画像（ボタン画像）や、給湯器１Ａの状態を示す様々な画像（状態画像）が表示されるようになっている。リモートコントローラ画像１０２に含まれる状態画像としては、図５のように、給湯温度を示す画像や、ふろ温度を示す画像、時刻を示す画像、各種設定状態を示す画像などが表示される。
【００３７】
本構成では、給湯器１Ａに設けられた通信部２２Ｃが、給湯器１Ａの状態を示す給湯器情報を、保持装置１３０に対し通信線２４を介して有線送信する。給湯器情報としては、給湯器１Ａで設定された各種情報（設定された給湯温度の情報、設定されたふろ温度の情報、設定されたふろ湯量の情報、など）が挙げられる。第１無線通信部１１８は、通信部２２Ｃから給湯器情報が有線送信された場合、この給湯器情報に基づき、給湯器１Ａの状態を示す情報を情報処理端末１１０に無線送信する。給湯器１Ａの状態を示す情報は、通信部２２Ｃから有線送信された給湯器情報であってもよく、給湯器情報を加工した情報（例えば、給湯温度、ふろ温度、ふろ湯量の増減値、前回からの変更の有無等の情報）や、給湯器情報のうちの一部であってもよい。情報処理端末１１０は、第１無線通信部１１８から無線送信された「給湯器１Ａの状態を示す情報」を受信した場合、その情報に応じた表示を行う。例えば、第１無線通信部１１８から、給湯器１Ａで設定された給湯温度、ふろ温度、ふろ湯量などを特定し得る情報を受信した場合、図５のように、表示装置１２２に給湯器１Ａで設定された給湯温度、ふろ温度、ふろ湯量などを表示する。
【００３８】
リモートコントローラ画像１０２に含まれる操作部画像（ボタン画像）としては、図５のように、運転切替ボタンの画像１０４Ａ、通話ボタンの画像１０４Ｂ、追い焚き指示ボタンの画像１０４Ｃ、自動湯張り指示ボタンの画像１０４Ｄ、優先切替ボタンの画像１０４Ｅなどが表示される。これら以外にも、給湯温度切替ボタンの画像、ふろ温度切替ボタンの画像、メニューボタンの画像、確定ボタンの画像、湯量切替ボタンの画像、保温時間切替ボタンの画像、たし湯指示ボタンの画像、さし水指示ボタンの画像、エコモード切替ボタンの画像、タイマ設定ボタンの画像などが表示される。
【００３９】
図５のように表示装置１２２にリモートコントローラ画像１０２が表示された状態で、タッチパネル１２２Ａに対して操作がなされた場合、第１無線通信部１１８が操作に応じた動作指示情報を無線通信部１３８に無線送信する。なお、情報処理端末１１０では、リモートコントローラ画像１０２に含まれる複数の画像を用いた複数の操作が規定されており、それら複数の操作の各々に対応するように動作指示情報が対応付けられ、対応データが図示しないメモリなどに記憶されている。図５のようにリモートコントローラ画像１０２が表示された状態で、タッチパネル１２２Ａに表示される１又は複数の画像に対して操作がなされた場合、制御装置１１２は、その操作に対応する動作指示情報を対応データに基づいて特定し、制御装置１１２及び第１無線通信部１１８は、特定された動作指示情報を無線通信部１３８に無線送信する。一方、保持装置１３０は、中継装置として機能し、無線送信された情報を受信する無線通信部１３８と、給湯器１Ａに情報を伝送する伝送部１４２とを備える。保持装置１３０側では、無線通信部１３８が動作指示情報を受信した場合、制御装置１３２は、その動作指示情報又はその動作指示情報に対応する対応情報を伝送部１４２によってコントローラ２２に伝送するように制御を行う。
【００４０】
例えば、リモートコントローラ画像１０２が表示された状態で、図５で示すボタン画像のいずれかの位置でタッチパネル１２２Ａを接触する操作がなされた場合、制御装置１１２は、その接触位置で表示されるボタン画像（接触された部分に覆われたエリアで表示されるボタン画像）を認識し、そのボタン画像に対応する動作指示情報（例えば所定のコマンド）を第１無線通信部１１８によって無線通信部１３８に無線送信する。具体的には、ユーザにより、追い焚き指示ボタンの画像１０４Ｃが表示される位置（具体的には、タッチパネル１２２Ａにおける画像１０４Ｃの表示側の表面部）でタッチパネル１２２Ａを接触する操作がなされた場合、制御装置１１２は、その接触位置で表示される追い焚き指示ボタンの画像１０４Ｃを認識し、第１無線通信部１１８は、そのボタン画像に対応する動作指示情報（例えば、追い焚きを指示するコマンド）を無線通信部１３８に無線送信する。これに応じて、伝送部１４２から動作指示情報（例えば、追い焚きを指示するコマンド）そのもの、又は動作指示情報に対応する対応情報がコントローラ２２に送信される。同様に、自動湯張り指示ボタンの画像１０４Ｄの位置でタッチパネル１２２Ａを接触する操作がなされた場合、制御装置１１２は、その接触位置で表示される自動湯張り指示ボタンの画像１０４Ｄを認識し、第１無線通信部１１８は、そのボタン画像に対応する動作指示情報（例えば、自動湯張りを指示するコマンド）そのもの、又は動作指示情報に対応する対応情報を無線通信部１３８に無線送信する。これに応じて、伝送部１４２から動作指示情報（例えば、自動湯張りを指示するコマンド）そのもの、又は動作指示情報に対応する対応情報がコントローラ２２に送信される。コントローラ２２は、保持装置１３０の伝送部１４２から動作指示情報（又は対応情報）を受信した場合、その動作指示情報（又は対応情報）に従い、その動作指示情報(又は対応情報)で特定される動作を給湯器１Ａに行わせる。例えば、コントローラ２２は、動作指示情報又は対応情報として追い焚きを指示するコマンドを受信した場合、公知の方法で追い焚きを実行するように給湯器１Ａを制御する。同様に、コントローラ２２は、動作指示情報又は対応情報として自動湯張りを指示するコマンドを受信した場合、公知の方法で自動湯張りを実行するように給湯器１Ａを制御する。
【００４１】
そして、図４のように情報処理端末１１０が保持状態となっているときには、図３で示す充電部１７０によって充電がなされる。充電部１７０は、情報処理端末１１０が保持状態のときに保持装置１３０側の電力に基づいて情報処理端末１１０を充電するように機能する。具体的には、充電部１７０は、保持装置１３０に設けられた送電部１７２と、情報処理端末１１０に設けられた受電部１７４とによって構成され、送電部１７２と受電部１７４との間で非接触給電を行うように動作する。非接触給電の方式としては、例えば公知の電磁誘導方式で給電を行うようになっており、送電制御部１７２Ｂの制御によって送電コイル１７２Ａに電流を流すことで磁束を発生させ、この磁束に応じて受電コイル１７４Ａに電流を流すようになっている。充電制御部１７４Ｂは、受電コイル１７４Ａで発生した電流に基づき、二次電池１１４に充電電流を供給する。充電制御部１７４Ｂによって二次電池１１４に充電電流を供給する充電動作は、例えば、情報処理端末１１０が保持状態のときに二次電池１１４の充電電圧（出力電圧）が所定の満充電電圧に到達するまで行うようにすればよい。
【００４２】
なお、制御装置１１２（制御部）は、機能制限モード中に情報処理端末１１０が保持部１５０に保持された場合、上述したように表示装置１２２の表示状態を第１表示状態とした上で、第２無線通信部１２０（外部装置通信部）が無線通信を行うことを禁止してもよい。このように、リモートコントローラ画像が表示されて給湯器１Ａの遠隔操作が可能となる第１表示状態のときに第２無線通信部１２０（外部装置通信部）が外部装置と無線通信を行うことを禁止すれば、外部から情報処理端末１１０を介して不正に給湯器１Ａが操作されてしまうこと等を防ぐことができる。
【００４３】
次に、本発明の効果を例示する。
上記リモートコントローラ装置１００において、制御装置１１２（制御部）は、予め定められた制限条件が成立した場合に、情報処理端末１１０を、表示装置１２２において所定の表示制限を行い且つ情報処理端末１１０から給湯器１Ａに対して指示がなされることを禁止する機能制限モードに切り替える。このように構成されるため、制限条件の成立時には、セキュリティ性を高めることができ、意図しない第三者の不正使用などを防ぎやすくなる。また、制御装置１１２（制御部）は、機能制限モード中に、情報処理端末１１０が保持部１５０に保持されてない状態で情報処理端末１１０に対して所定の解除操作がなされた場合、表示制限を解除する。このように構成されるため、機能制限モードとなっていても、解除操作を行えば表示制限を解除することができ、制限された機能を実行できるようになる。一方、制御装置１１２（制御部）は、機能制限モード中に情報処理端末１１０が保持部１５０に保持された場合、解除操作がなされていなくても、情報処理端末１１０から給湯器１Ａに対して指示がなされることを許容する。このように構成されるため、機能制限モードに設定されてセキュリティ性が高められたとしても、情報処理端末１１０が保持装置１３０に設置されたときには、給湯器１Ａを操作するにあたり解除操作が必須とならなくなり、給湯器１Ａの操作を迅速に行いやすくなる。
【００４４】
また、この構成では、機能制限モード中に情報処理端末１１０が保持部１５０に保持されていない場合には、リモートコントローラ画像に基づく指示操作が行えないようになる。よって、保持部１５０から離脱して移動可能な状態にある情報処理端末１１０により、リモートコントローラ画像に基づく意図しない操作がなされることを防ぐことができる。
また、この構成では、機能制限モード中であっても、情報処理端末１１０を保持部１５０に保持させることで、迅速かつ簡易にリモートコントローラ画像を表示した状態に切り替えることができる。そして、ユーザはリモートコントローラ画像が表示された状態のときに、この画像に基づき、タッチパネルに対して給湯器１Ａへの指示を入力する指示操作を行えば、当該指示操作に基づくコマンドを給湯器１Ａに向けて送信することができ、給湯器１Ａに所望の動作を行わせることができる。
また、この構成では、機能制限モード中に情報処理端末１１０が保持部１５０に保持されていない場合には、所定の制限用画像が表示された状態とし、機能制限モードであることを知らしめることができる。一方、機能制限モード中に情報処理端末１１０が保持部１５０に保持された場合には、制限用画像が表示された状態からリモートコントローラ画像が表示された状態に自動的に切り替えることができるため、ユーザは、このような画像の切り替わりにより、リモートコントローラ画像に基づく操作を行い得る状態に切り替わったことを迅速に且つ直感的に知ることができる。
また、この構成では、機能制限モード中に情報処理端末１１０が保持部１５０に保持された場合、リモートコントローラ画像に基づく指示操作を可能とする一方で、情報処理端末１１０と外部装置との間で無線通信がなされることに起因する不正動作（不正アクセスや不正操作など）をより確実に防ぎやすくなる。
【００４５】
＜他の実施例＞
本発明は上記記述及び図面によって説明した実施例に限定されるものではなく、例えば次のような例も本発明の技術的範囲に含まれる。
【００４６】
実施例１で説明した充電部１７０はあくまで一例であり、上述した実施例又は上述した実施例を変更したいずれの例においても、他の非接触給電方式を採用してもよい。例えば、磁気共鳴方式、マイクロ波放電方式などを採用してもよい。或いは、非接触給電でなくてもよく、例えば、情報処理端末１１０を保持装置１３０に載置したときに情報処理端末１１０に設けられた端子と保持装置１３０に設けられた端子とが接触状態となり、これらの端子を介して保持装置１３０から情報処理端末１１０に電力が供給される方式などであってもよい。
【００４７】
実施例１で説明した保持部１５０はあくまで一例であり、上述した実施例又は上述した実施例を変更したいずれの例においても、保持部１５０は、浴室の壁部に固定される構成に限定されない。浴室の所定位置に載置される構成であってもよく、浴室外に設置される構成であってもよい。
【００４８】
実施例１では、アクセスポイントとして構成される外部装置１８０を例示したが、情報処理端末１１０と第２無線通信方式（例えば、Ｗｉ−Ｆｉ通信方式）で無線通信し得る外部装置であればよく、その数や通信範囲も限定されない。
【００４９】
実施例１では、制御装置１１２が「保持状態」を判定する判定方法の一例を説明したが、上述した判定方法に限定されない。例えば、載置部１５２などに公知の近接センサ、圧力センサ、押圧スイッチなどを設け、近接センサ、圧力センサ、押圧スイッチなどによって近接検知信号、圧力上昇信号、押圧検知信号などが生成された場合に、制御装置１１２が「保持状態」と判定し、そうでない場合に「保持状態」ではない判定してもよい。例えば、情報処理端末１１０と保持装置１３０のいずれか一方側において保持状態（図４のように情報処理端末１１０が保持装置１３０において所定の正規姿勢で保持された状態）のときに他方側に近接する位置に永久磁石を配置し、他方側において保持状態のときにその永久磁石に近接する位置に磁気を検知し得る磁気センサを配置してもよい。そして、磁気センサが永久磁石の磁気を検知した場合に「保持状態」と判定し、そうでない場合には「保持状態」と判定しないようにしてもよい。或いは、情報処理端末１１０と保持装置１３０のいずれか一方側において保持状態のときに他方側の一部に接触する位置に第１の金属端子を配置し、他方側において保持状態のときにその第１の金属端子に接触する位置に第２の金属端子を配置してもよい。そして、第１の金属端子と第２の金属端子とが接触状態となった場合に「保持状態」と判定し、そうでない場合には「保持状態」と判定しないようにしてもよい。端子同士が接触状態であるか否かを判定する回路は、公知の様々な回路を採用できる。或いは、情報処理端末１１０と保持装置１３０のいずれか一方側に、保持状態のときに他方側の一部に接触する位置に凸部を形成し、他方側に、保持状態のときにその凸部に接触する位置にボタンスイッチなどの押圧検知部（所定位置が押圧された場合に押圧検知信号を発生させ、所定位置が押圧されていない場合に押圧検知信号を発生させない電気部品）を配置し、保持状態のときには一方側の凸部が他方側の押圧検知部を押圧することで押圧検知部から押圧検知信号が出力され、保持状態でないときには押圧検知部から押圧検知信号が出力されないようにしてもよい。この場合、押圧検知部から押圧検知信号が発生した場合に「保持状態」と判定し、そうでない場合には「保持状態」と判定しないようにすればよい。
【００５０】
実施例１では、非接触給電方式を採用する場合の各構成及び保持状態の判定方法の一例を説明したが、接触給電方式を採用する場合には、情報処理端末１１０側に複数の第１端子を設け、保持装置１３０側に複数の第２端子を設け、保持状態のときに複数の第１端子と複数の第２端子とがそれぞれ個別に接触するように構成すればよい。そして、これら端子を介して保持装置１３０側から情報処理端末１１０側に充電電流が供給されるようにすればよい。この場合、制御装置１１２は、複数の第１端子のいずれかに所定電圧以上の充電電圧が印加された場合を保持状態と判定してもよい。或いは、第１端子を介して所定値以上の充電電流が流れる場合を保持状態と判定してもよい。
【００５１】
実施例１では、「情報処理端末が保持部に保持された場合、解除操作がなされていなくても、情報処理端末から給湯器に対して指示がなされることを許容する」例として、機能制限モードのまま非保持状態から保持状態に切り替わった場合、制御装置１１２が、保持状態となったことを検出し、解除操作（例えば正規の暗証番号の入力）がなされていなくても、制御装置１１２の制御によって自動的に表示装置１２２の表示状態を図５のような第１表示状態に切り替える例を示した。しかし、この例に限定されない。例えば、機能制限モードのまま非保持状態から保持状態に切り替わった場合、制御装置１１２自身が自動的に正規の暗証番号を入力する動作を行い、第１表示状態に切り替えてもよい。或いは、機能制限モードのまま非保持状態から保持状態に切り替わった場合、保持装置１３０から制御装置１１２に対して暗証番号を送信し、制御装置１１２は、保持装置１３０から送信された暗証番号が正規の暗証番号である場合に第１表示状態に切り替えてもよい。この場合、ユーザの操作によって保持装置１３０の記憶部に予め正規の暗証番号が登録されていればよい。
【００５２】
実施例１では、「所定の表示制限」の例として、表示装置の表示状態を所定の制限用画像が表示された状態とする例を示したが、この例に限定されない。例えば、予め定められた制限条件が成立した場合に、例えば、制御装置１１２が動作している状態で表示装置において画像が表示されない状態（表示オフ状態）となるような機能制限モードとし、機能制限モード中に、情報処理端末が保持部に保持された場合、解除操作がなされていなくても、表示装置において画像が表示された状態（例えば、上述のリモートコントローラ画像が表示された状態）とし、情報処理端末から給湯器に対して指示がなされることを許容してもよい。
【符号の説明】
【００５３】
１…給湯システム、１Ａ…給湯器、１００…給湯器用のリモートコントローラ装置、１１０…情報処理端末、１１２…制御装置（制御部）、１２２…表示装置、１２２Ａ…タッチパネル、１３０…保持装置、１５０…保持部
【図１】
2019036900.tif 000003
【図２】
2019036900.tif 000004
【図３】
2019036900.tif 000005
【図４】
2019036900.tif 000006
【図５】
2019036900.tif 000007
【図６】
2019036900.tif 000008
【図７】
2019036900.tif 000009
【図８】
2019036900.tif 000010
【図９】
2019036900.tif 000011